(57)【要約】【課題】飲料などを吸飲する際に発生する水流によって駆動部を駆動させ、該駆動部の駆動によって動作部させ、ストロー使用者に対して趣向の高いストローを提供することを課題とする。【解決手段】  端部を各々吸飲口及び吸水口として流路を形成する筒状のストローであって、前記ストローの吸飲口及び吸水口の間の流路には、流路を吸い上げられる飲料の水流によって回動動作をする作動弁からなる駆動部を有し、流路壁に支持ピンにより支持されて前記駆動部の回動によって揺動動作を行う動作部をストローの中間に備えた。【選択図】図１
0003107607.tif 000002
【実用新案登録請求の範囲】
【請求項１】
端部を各々吸飲口及び吸水口として流路を形成する筒状のストローであって、前記ストローの吸飲口及び吸水口の間の流路には、流路を吸い上げられる飲料の水流によって回動動作をする作動弁からなる駆動部を有し、流路壁に支持ピンにより支持されて前記駆動部の回動によって揺動動作を行う動作部をストローの中間に備えたことを特徴とした動作部付きストロー。
【請求項２】
端部を各々吸飲口及び吸水口として流路を形成する筒状のストローであって、前記ストローの吸飲口及び吸水口の間の流路には、流路に沿って滑動する滑動弁からなる駆動部を有し、前記駆動部の滑動によって上下動作を行う動作部とを備えたことを特徴とした動作部付きストロー。
【請求項３】
請求項２において、流路内に円形平板の滑動弁を有し、スライド板により流路壁の細溝を塞ぎ且つ、スライド板を挟み内側に滑動弁を支持し、スライド板の外側にシリコン膜のスリットを貫通する保持体により動作部を支持したことを特徴とした動作部付きストロー。
【請求項４】
端部を各々吸飲口及び吸水口として流路を形成する筒状のストローであって、水流によって回転する水車とこの水車の回転軸とからなる駆動部を有し、前記駆動部の回転によって動作を行う動作部とを備えたことを特徴とした動作部付きストロー。
【請求項５】
請求項４において、前記駆動部の回転軸に軸着したクランクを有し、前記動作部は、揺動軸を有して、前記クランクの回転より一端を上下又は左右に揺動させるように揺動する棒状の揺動体であることを特徴とした動作部付きストロー。
【請求項６】
請求項５において、前記ストローには、形象体で形成された外装を備え、前記揺動体は、前記外装の形象体の手・足・首のいずれかを模したことを特徴とした動作部付きストロー。
【請求項７】
請求項４において、軸方向へ摺動可能に支持されて駆動部の回転軸に軸着したクランクを有し、前記動作部は、前記クランクの回転より軸方向に摺動する摺動体としたことを特徴とした動作部付きストロー。
【請求項８】
請求項７において、前記ストローには、形象体で形成された外装を備え、前記摺動体は、前記外装の形象体の首を模したことを特徴とした動作部付きストロー。
【請求項９】
請求項４において、駆動部の回転軸に軸着した回転板を有し、前記動作部は、一端を回転可能に支持されて前記回転板に設けられた偏心ピンにより一端を円運動させることを特徴とした動作部付きストロー。
【請求項１０】
請求項４において、前記ストローには、機関車を模して形成した外装を備え、前記回転板は、車輪に模してなることを特徴とした動作部付きストロー。
【請求項１１】
請求項４において、回転可能に支持されて駆動部の回転軸に軸着した歯車を有し、前記動作部は、前記歯車と歯合して回転する従動歯車であることを特徴とした動作部付きストロー。
【請求項１２】
請求項１１において、前記ストローには、キャラクターの顔を模して形成した外装を備え、前記歯車及び従動歯車の側面に前記キャラクターの目を表示したことを特徴とした動作部付きストロー。
【請求項１３】
請求項１１において、前記ストローには、キャラクターの顔を模して形成した外装と、前記従動歯車を２つ備え、前記２つの従動歯車のそれぞれの側面に前記キャラクターの目を表示したことを特徴とした動作部付きストロー。
【請求項１４】
請求項４において、前記駆動部の回転軸に軸着したウォームギアを有し、前記動作部は、前記ウォームギアと歯合して回転することを特徴とした動作部付きストロー。
【請求項１５】
請求項１４において、前記ストローには、形象体で形成された外装を備え、前記動作部は、前記外装の形象体の顔又は胴を模して形成し回転させることを特徴とした動作部付きストロー。
【請求項１６】
請求項４において、前記駆動部の回転軸に軸着したカムを有し、前記動作部は、カムにより開閉するスイッチとしたことを特徴とした動作部付きストロー。
【請求項１７】
請求項１６において、前記スイッチによって開閉され点灯する発光部を備えたことを特徴とした動作部付きストロー。
【請求項１８】
請求項１乃至１７において、飲料など収容する容器に挿着可能なキャップを備え、前記キャップの頂壁を貫通する流路を形成してキャップ上方に駆動部を備えたことを特徴とした動作部付きストロー。
【請求項１９】
請求項１乃至１８において、飲料などを収容する容器を備え、前記容器の壁面に前記ストローを挿嵌して形成したことを特徴とした動作部付きストロー。
【考案の詳細な説明】
【技術分野】
【０００１】
本考案は、動作部付きストローに関するものである。
【背景技術】
【０００２】
従来、特許文献として示す特開２００４−１４９１４１号公報「ストロー付きキャップ」のようにストローに装飾体を備え、該装飾体を上下動させると該装飾体の腕部が、ストローの外周に設けられた凹凸によって揺動するものであった。このように、使用者が飲料などを吸飲する際に動作するものではなく、使用者が、装飾体自体を上下動させないと、動作しないものであった。
【０００３】
そこで、使用者が飲料などを吸飲する際に、動作部が動作するように設けたストローが望まれていた。
【特許文献１】特開２００４−１４９１４１号
【考案の開示】
【考案が解決しようとする課題】
【０００４】
そこで、本考案は、上記従来技術の問題点に斯かる実情に鑑みなされたもので、飲料などを吸飲する際に発生する水流によって駆動部を駆動させ、該駆動部の駆動によって動作部させ、ストロー使用者に対して趣向の高いストローを提供することを課題とする。
【課題を解決するための手段】
【０００５】
請求項１記載の考案は、端部を各々吸飲口及び吸水口として流路を形成する筒状のストローであって、前記ストローの吸飲口及び吸水口の間の流路には、流路を吸い上げられる飲料の水流によって回動動作をする作動弁からなる駆動部を有し、流路壁に支持ピンにより支持されて前記駆動部の回動によって揺動動作を行う動作部をストローの中間に備えたことを特徴とする。
【０００６】
請求項２記載の考案は、端部を各々吸飲口及び吸水口として流路を形成する筒状のストローであって、前記ストローの吸飲口及び吸水口の間の流路には、流路に沿って滑動する滑動弁からなる駆動部を有し、前記駆動部の滑動によって上下動作を行う動作部とを備えたことを特徴とする。
【０００７】
請求項３記載の考案は、請求項２において、流路内に円形平板の滑動弁を有し、スライド板により流路壁の細溝を塞ぎ且つ、スライド板を挟み内側に滑動弁を支持し、スライド板の外側にシリコン膜のスリットを貫通する保持体により動作部を支持したことを特徴とする。
【０００８】
請求項４記載の考案は、端部を各々吸飲口及び吸水口として流路を形成する筒状のストローであって、水流によって回転する水車とこの水車の回転軸とからなる駆動部を有し、前記駆動部の回転によって動作を行う動作部とを備えたことを特徴とする。
【０００９】
請求項５記載の考案は、請求項４において、前記駆動部の回転軸に軸着したクランクを有し、前記動作部は、揺動軸を有して、前記クランクの回転より一端を上下又は左右に揺動させるように揺動する棒状の揺動体であることを特徴とする。
【００１０】
請求項６記載の考案は、請求項５において、前記ストローには、形象体で形成された外装を備え、前記揺動体は、前記外装の形象体の手・足・首のいずれかを模したことを特徴とする。
【００１１】
請求項７記載の考案は、請求項４において、軸方向へ摺動可能に支持されて駆動部の回転軸に軸着したクランクを有し、前記動作部は、前記クランクの回転より軸方向に摺動する摺動体としたことを特徴とする。
【００１２】
請求項８記載の考案は、請求項７において、前記ストローには、形象体で形成された外装を備え、前記摺動体は、前記外装の形象体の首を模したことを特徴とする。
【００１３】
請求項９記載の考案は、請求項４において、駆動部の回転軸に軸着した回転板を有し、前記動作部は、一端を回転可能に支持されて前記回転板に設けられた偏心ピンにより一端を円運動させることを特徴とする。
【００１４】
請求項１０記載の考案は、請求項４において、前記ストローには、機関車を模して形成した外装を備え、前記回転板は、車輪に模してなることを特徴とする。
【００１５】
請求項１１記載の考案は、請求項４において、回転可能に支持されて駆動部の回転軸に軸着した歯車を有し、前記動作部は、前記歯車と歯合して回転する従動歯車であることことを特徴とする。
【００１６】
請求項１２記載の考案は、請求項１１において、前記ストローには、キャラクターの顔を模して形成した外装を備え、前記歯車及び従動歯車の側面に前記キャラクターの目を表示したことを特徴とする。
【００１７】
請求項１３記載の考案は、請求項１１において、前記ストローには、キャラクターの顔を模して形成した外装と、前記従動歯車を２つ備え、前記２つの従動歯車のそれぞれの側面に前記キャラクターの目を表示したことを特徴とする。
【００１８】
請求項１４記載の考案は、請求項４において、前記駆動部の回転軸に軸着したウォームギアを有し、前記動作部は、前記ウォームギアと歯合して回転することを特徴とする。
【００１９】
請求項１５記載の考案は、請求項１４において、前記ストローには、形象体で形成された外装を備え、前記動作部は、前記外装の形象体の顔又は胴を模して形成し回転させることを特徴とする。
【００２０】
請求項１６記載の考案は、請求項４において、前記駆動部の回転軸に軸着したカムを有し、前記動作部は、カムにより開閉するスイッチとしたことを特徴とする。
【００２１】
請求項１７記載の考案は、請求項１６において、前記スイッチによって開閉され点灯する発光部を備えたことを特徴とする。
【００２２】
請求項１８記載の考案は、請求項１乃至１７において、飲料など収容する容器に挿着可能なキャップを備え、前記キャップの頂壁を貫通する流路を形成してキャップ上方に駆動部を備えたことを特徴とする。
【００２３】
請求項１９記載の考案は、請求項１乃至１８において、飲料などを収容する容器を備え、前記容器の壁面に前記ストローを挿嵌して形成したことを特徴とする。
【考案の効果】
【００２４】
請求項１記載の考案によれば、飲料などを吸飲する際に発生する水流によって駆動部である作動弁を回転させ、該駆動部の回転によって動作部を動作させることにより、ストロー使用者に対して趣向の高いストローを提供することができる。
【００２５】
請求項２記載の考案によれば、飲料などを吸飲する際に発生する水流によって駆動部である滑動弁を滑動させ、該駆動部の滑動によって動作部を動作させることにより、ストロー使用者に対して趣向の高いストローを提供することができる。
【００２６】
請求項３記載の考案によれば、スライド板により流路壁の細溝を塞ぎ且つ、スライド板を挟み内側に滑動弁を支持し、スライド板の外側にシリコン膜のスリットを貫通する保持体により動作部を支持したことによって、２重の漏水及び空気漏れの防止効果を得ることができる。
【００２７】
請求項４記載の考案によれば、飲料などを吸飲する際に発生する水流によって駆動部である水車を回転させ、該駆動部の回転によって動作部を動作させることにより、ストロー使用者に対して趣向の高いストローを提供することができる。
【００２８】
請求項５記載の考案によれば、前記駆動部の回転軸に軸着したクランクを有し、前記動作部は、揺動軸を有して、前記クランクの回転より一端を上下又は左右に揺動させるように揺動する棒状の揺動体であることによって、動作部である揺動体を揺動動作させることができる。
【００２９】
請求項６記載の考案によれば、前記ストローには、形象体で形成された外装を備え、前記揺動体は、前記外装の形象体の手・足・首のいずれかを模したことによって、使用者に対して趣向の高いストローを提供することができる。
【００３０】
請求項７記載の考案によれば、軸方向へ摺動可能に支持されて駆動部の回転軸に軸着したクランクを有し、前記動作部は、前記クランクの回転より軸方向に摺動する摺動体とすることによって、動作部である摺動体を摺動動作させることができる。
【００３１】
請求項８記載の考案によれば、前記ストローには、形象体で形成された外装を備え、前記摺動体は、前記外装の形象体の首を模して形成することによって、該首摺動させることによって、形象体の首が伸び縮みするように動作させることができ、使用者に対して趣向の高いストローを提供することができる。
【００３２】
請求項９記載の考案によれば、一端を回転可能に支持されて駆動部の回転軸に軸着した回転板を有し、前記動作部は、前記回転板に設けられた偏心ピンにより一端を円運動させることによって、様々動作を行わせることができる。
【００３３】
請求項１０記載の考案によれば、前記ストローには、機関車を模して形成した外装を備え、前記回転板は、車輪に模してなることによって、使用者に対して趣向の高いストローを提供することができる。
【００３４】
請求項１１記載の考案によれば、回転可能に支持されて駆動部の回転軸に軸着した歯車を有し、前記動作部は、前記歯車と歯合して回転する従動歯車であることによって、従動歯車から様々な動作を行わせることができる。
【００３５】
請求項１２記載の考案によれば、前記ストローには、キャラクターの顔を模して形成した外装を備え、前記歯車及び従動歯車の側面に前記キャラクターの目を表示したことによって、該歯車と従属歯車がそれぞれ反対方向へと回転することで、キャラクターの目の動きのパターンを増やすことができる。
【００３６】
請求項１３記載の考案によれば、前記ストローには、キャラクターの顔を模して形成した外装と、前記従動歯車を２つ備え、前記２つの従動歯車のそれぞれの側面に前記キャラクターの目を表示したことによって、該従動歯車をそれぞれが、同一方向へ回転することで、キャラクターの目の動きのパターンを増やすことができる。
【００３７】
請求項１４記載の考案によれば、前記駆動部の回転軸に軸着したウォームギアを有し、前記動作部は、前記ウォームギアと歯合して回転することによって、駆動部からの回転軸からの回転角度を変えることができる。
【００３８】
請求項１５記載の考案によれば、前記ストローには、形象体で形成された外装を備え、前記動作部は、前記外装の形象体の顔又は胴を模して形成し回転させることによって、使用者対して趣向の高いストローを提供することができる。
【００３９】
請求項１６記載の考案によれば、前記駆動部の駆動によって開閉するスイッチを備えることによって、該スイッチが開閉されることによって、様々な電気を利用した動作を行わせることが可能である。
【００４０】
請求項１７記載の考案によれば、前記スイッチによって開閉され点灯する発光部を備えることによって、飲料などを吸飲した際などに、発光部を発光させることによって、使用者に対して趣向の高いストローを提供することができる。
【００４１】
請求項１８記載の考案によれば、飲料など収容する容器に挿着可能なキャップを備え、前記キャップの頂壁を貫通する流路を形成してキャップ上方に駆動部を備えることによって、既存のペットボトルなどの容器に接続して使用することができる。
【００４２】
請求項１９記載の考案によれば、飲料などを収容する容器を備え、前記容器の壁面に前記ストローを挿嵌して形成することによって、例えば、容器の外装と、ストローの外装を合わせることができ、使用者に対して趣向の高いストローを提供することができる。
【考案を実施するための最良の形態】
【００４３】
端部を各々吸飲口及び吸水口として流路を形成する筒状のストローであって、前記ストローの吸飲口及び吸水口の間の流路には、前記ストローに回動自在に軸支され吸飲動作による水流によって回転動作する作動弁からなる駆動部と、前記駆動部の回転よって動作を行う動作部で形成されている。
【００４４】
また、端部を各々吸飲口及び吸水口として流路を形成する筒状のストローであって、前記ストローの吸飲口及び吸水口の間の流路には、前記ストローに滑動自在に設けられ吸飲動作による水流によって滑動する円形平板の滑動弁からなる駆動部と、スライド板により流路壁の細溝を塞ぎ且つ、スライド板を挟み内側に滑動弁を支持し、スライド板の外側にシリコン膜のスリットを貫通する保持体により動作部を支持して形成されている。
【００４５】
そして、端部を各々吸飲口及び吸水口として流路を形成する筒状のストローであって、前記ストローの吸飲口及び吸水口の間の流路には、前記ストローに回転自在に軸支され吸飲動作による水流によって回転する水車からなる駆動部と、前記駆動部の回転によって動作を行う動作部と、前記ストローは、装飾体又は形象体で形成された外装で形成されている。
【００４６】
上述の、駆動部の駆動によって、動作する動作部は、形象体の腕の部分を模した動作部で形成してもよいし、前記動作部は、形象体の目の部分を模した動作部で形成してもよく、前記動作部は、形象体の頭部の部分を模した動作部でもよい。さらに、前記駆動部の駆動によって開閉するスイッチ部と、前記駆動部の駆動によって開閉するスイッチ部を備えてもよい。
【００４７】
そして、上述のストローに、飲料など収容する容器に挿着可能なキャップを備え、前記キャップの頂壁を貫通する流路を形成してもよく、また、飲料などを収容する容器を備え、前記容器の壁面に前記ストローを挿嵌して形成してもよい。
【実施例１】
【００４８】
動作部付きストローの一例である駆動部に作動弁を使用した場合の使用例を、図１及び図２を用いて説明を行う。
【００４９】
ストローの構成は、端部を各々吸飲口１２及び吸水口１４として流路を形成する筒状のストロー１０であって、吸水口１４及び吸飲口１２の間に、駆動部１６を備え、該駆動部１６は、吸飲する際に発生する水流によって駆動部１６が駆動し、該駆動部１６の駆動によって、動作部１８を動作させるストロー１０である。駆動部１６に、作動弁３６を使用し、該作動弁３６からの駆動を動作部１８に伝達する機構が設けられ、動作部１８に合わせた駆動の伝達を行うようになっている。
【００５０】
ストロー１０は、全体が柔軟性のある曲がるストロー１０、柔軟性のない曲がらないストロー１０のいずれのストロー１０であっても良い。また、吸飲口１２と吸水口１４の間の一部を蛇腹状にし、その蛇腹部分が曲がるようにしても構わない。
【００５１】
また、図１及び図２には、図示していないが図１１のようにストロー１０の一部は、装飾体や形象体からなる外装２０が設けられている。この外装２０は、使用者に対して趣向の高いストロー１０を提供するために、人気のあるキャラクターを模したものであったり、象、ライオン、クマなどの動物を模したものであったり、観覧車、ビルなどを模した建物を模して形成しても構わない。また、外装２０は、これらに限定させることはなく様々な物、人、動物などを模した形に形成できる。
【００５２】
また、この外装２０は、駆動部１６を覆うように形成することによって、外観をよくすることができる。また、該動作部１８を、該外装２０の一部を模した形に形成することによって、該外装２０（形象体）が、動いているように見せることができる。例えば、キャラクターが手を振るなどの動作を行うことができ、趣向の高いストロー１０となる。
【００５３】
図２を用いて、作動弁の構成の説明を行う。ストローは吸飲口１２及び吸水口の中間で切断され、上方ストロー３０と下方ストロー３２に分けられている。この上方ストロー３０と下方ストロー３２との間に、駆動部１６を備え、上方ストロー３０と駆動部１６と下方ストロー３２の流路は、ゴムパッキン３４によって接続させるようになっており、それぞれの接続箇所での水漏れを防ぐようなっている。
【００５４】
駆動部１６は、作動弁３６、支持ピン３８、支持筒体４０、支持カバー４６によって構成されている。支持筒体４０は、上方及び下方ストロー３２の内径と同じに内径に形成され、その側面には、作動弁３６を入れる方形状の孔４２が設けられている。また、該孔４２の上方と下方それぞれに近接した位置に、作動弁３６が流路壁に接触しないようする凸部用の孔４４が設けられている。
【００５５】
支持カバー４６は、支持筒体４０に設けられた孔４２・４４を覆うカバーとなっており、該支持カバー４６側面には支持ピン３８を軸支する孔４８が設けられている。該孔４８に支持ピン３８が回転自在に軸支され、該支持ピン３８に作動弁３６と動作部１８が軸着している。動作部１８は、方形状の板であり、支持ピン３８の回転に合わせて動作部１８が動作するようになっている。また、該孔４８の上方と下方それぞれに近接した位置に、作動弁３６が流路壁に接触しないようする凸部５０が設けられている。
【００５６】
作動弁３６は、ストロー１０の内径より短い方形状に形成され、水流からの水力を受けやすい形に形成されている。また、作動弁３６を方形状に形成しているためにストロー１０内径との間に隙間ができるため吸飲した際に、スムーズにストロー１０内の空気は減圧され、飲料などを吸飲できるようなっている。また、支持ピン３８の直径と、支持カバー４６の孔４８の直径を限りなく同じに近づけることによって、空気漏れを抑えることができると共に、水漏れは、表面張力の影響のため水漏れしない構造にすることができる。
【００５７】
作動弁３６の駆動の説明を行う。使用者が、吸飲を行うと飲料などが吸い上げられるようになり、飲料が作動弁３６を通過する。この際に、作動弁３６は、この水流による水力及び浮力を受け、作動弁３６を押し上げるようになり、作動弁３６は、支持ピン３８を中心に回転動作するようになる。また、作動弁３６と他端となる動作部１８は作動弁３６が押し上げられたことにより、動作部１８は、下に下がるようになっている。
【００５８】
また、使用者が、吸飲動作をやめた時に、ストロー１０内の飲料が、降下し始めると、逆方向への水流が発生し、作動弁３６は、元の位置へと復帰するようになっている。作動弁３６は、動作部１８よりが重く設けられている。または、復帰するためのバネを設けて、復帰させるようにしてもよい。このように、作動弁３６は吸飲した時に１回回転動作し、吸飲を止めた時に１回回転動作するようにしたもので、この回転力を利用し、動作部１８を動作させるものである。
【００５９】
このように、使用者が、飲料などを吸い上げる水流によって、作動弁３６が回動し、作動弁３６が軸着した支持ピン３８が回動動作を行うことによって、支持ピン３８に軸着した動作部も同様に回動運動を行うようになっている。
【００６０】
次に、図３を用いて作部付きストローの一例である駆動部１６に滑動弁を使用した場合の説明を行う。ストローは吸飲口１２及び吸水口の中間で切断され、上方ストロー３０と下方ストロー３２に分けられている。この上方ストロー３０と下方ストロー３２との間に、駆動部１６を備え、上方ストロー３０と駆動部１６と下方ストロー３２の流路は、接続させるようになっている。
【００６１】
駆動部１６は、ストロー固定筒５２、シリコン膜５６、スライド板６０、保持板６２、滑動弁６４、支持体６６で構成されている。ストロー固定筒５２は、Ｄ型状の筒体で、その両端には、上方ストロー３０及び下方ストロー３２を接続できるように設けられている。また、ストロー固定筒５２の側面に形成された平面に、軸方向に開口した細溝５４が形成されている。また、支持体６６は、ストロー固定筒５２の平面側を覆うようにコ字状に形成され嵌着されている。また、支持体６６にもストロー固定筒５２に形成された細溝５４と連通する細溝６８が形成されている。
【００６２】
シリコン膜５６は、支持体６６に形成された細溝６８を覆うように方形状に形成され、該孔に対応する非常に細いスリット５８が形成されている。該シリコン膜５６によって、漏水及び空気漏れを防ぐように備えられている。また、スライド板６０は、方形状に形成され、支持体６６とストロー固定筒５２との間に設けられている。このスライド板６０は、ストロー固定筒５２の細溝５４からの漏水及び空気漏れを防ぐように備えられ、シリコン膜５６とスライド板６０によって２重に漏水及び空気漏れの対策を行っている。また、該スライド板６０には、保持体６２を嵌着させる方形状の孔が形成されている。
【００６３】
保持体６２は、方形状の板で、該スライド板６０に設けられた孔を貫通し嵌着されている。方形状の板の一端は、ストロー固定筒５２内に設けられた滑動弁６４と嵌着し、もう一端は、シリコン膜５６の外側に設けられる動作部１８と嵌着するようになっている。
【００６４】
滑動弁６４は、ストロー固定筒５２の内径より、短い直径の円形状に形成され、水流からの水力を受けやすい形に形成されている。また、滑動弁６４をストロー１０の内径より小さい円形状にしているために、ストロー１０内径との間に隙間ができ吸飲した際に、スムーズにストロー１０内の空気は減圧され、飲料などを吸飲できるようになっている。
【００６５】
滑動弁６４の駆動の説明を行う。使用者が、吸飲を行うと飲料などが吸い上げられるようになり、飲料が滑動弁６４を通過する。この際に、滑動弁６４は、この水流により、水力及び浮力を受け、滑動弁６４を押し上げるようになり、滑動弁６４は、ストロー固定筒５２に形成された細溝５４間を滑動動作するようになっている。この滑動動作によって、該滑動弁６４が嵌着している保持体６２、スライド板６０及び動作部１８が同様に滑動動作するようになっている。
【００６６】
また、使用者が、吸飲を止めるとストロー１０内の飲料が降下し始める、逆方向への水流が発生し、滑動弁６４は、元の位置へと滑動動作するようになっている。また、滑動弁６４・スライド板６０・保持体６２及び動作部１８の自重によっても、元の位置に滑動動作し復帰するようになる。このように滑動弁６４は、作動弁３６と同様に、作動弁３６は吸飲した時に１回滑動動作し、吸飲を止めた時に１回滑動動作するようにしたもので、この滑動を利用し、動作部１８を動作させるものである。
【００６７】
このように、使用者が、飲料などを吸い上げる水流によって、滑動弁６４が滑動し、滑動弁６４が嵌着した保持体６２が、滑動動作を行うことによって、保持体６２に嵌着した動作部１８も同様に滑動運動を行うようになっている。
【００６８】
図４を用いて動作部付きストローの一例である駆動部に水車を使用した場合を説明する。ストローは吸飲口１２及び吸水口の中間で切断され、上方ストロー３０と下方ストロー３２に分けられている。この上方ストロー３０と下方ストロー３２との間に、駆動部１６を備え、上方ストロー３０と駆動部１６と下方ストロー３２の流路は、接続させるようになっている。
【００６９】
駆動部１６は、ストロー固定筒５２、水車７０、回転軸７４で構成されている。ストロー固定筒５２は、プラスチックなどの樹脂で中空に形成され、その内部に水車７０が設けられている。該ストロー固定筒５２の上面と下面には、上方ストロー３０及び下方ストロー３２の流路を接続ように筒状に形成され、上方ストロー３０及び下方ストロー３２をそれぞれ接続できるように形成されている。また、ストロー固定筒５２には、回転軸７４を軸支する為の軸孔が設けられている。この軸孔を、回転軸７４の軸径に限りなく同じに近づけることによって、空気漏れを抑えることができると共に、水漏れは、表面張力の影響のため水漏れしない構造とすることができる。
【００７０】
回転軸７４は、ストロー固定筒５２を貫通して軸支され、該回転軸７４の一端は、ストロー固定筒５２内に設けられた水車７０が軸着し、もう一端は、ストロー固定筒５２の外側に設けられる動作部１８に軸着するようになっており、水車７０の回転をストロー固定筒５２外へと伝達するようになっている。
【００７１】
水車７０は、軸を中心に等角度に方形状のフィン７２を４枚で形成され、該軸は、回転軸７４に軸着している。該４枚のフィン７２は、水流からの水力を受けやすくなっており、該軸を中心に回転するようになっている。また、水車７０のフィン７２は、方形状に形成しているために、ストロー固定筒５２内の流路壁面との間に隙間ができるため吸飲した際に、スムーズにストロー１０内の空気は減圧され、飲料などを吸飲できるようになっている。また、水車７０のフィン７２の数を増やすことによって、水車７０の回転速度を早くすることができ、動作部１８の動作スピードを調整できるようになっている。
【００７２】
水車の駆動の説明を行う。使用者が、吸飲を行うと飲料などが吸い上げられるようになり、飲料が水車７０を通過する。この際に、水車７０は、この水流による水力及び浮力を受け、水車７０を回転させるようになる。使用者が、吸飲を続けている間、水車７０は回転を続け、吸飲を止めると、水車７０は回転を停止するようになる。このように、水車７０は、使用者の吸飲してるい間、連続回転を行い。吸飲を止めた時に、回転が停止する。
【００７３】
以上、駆動部１６の駆動（回転及び滑動）の説明を行ったが、動作部１８に駆動が伝達される際に、該動作部１８の動作に合わせて、歯車や、クランク、ウォームギアや傘歯車などによって、回転の角度を変更したり、回転速度を遅そくすると共に回転トルクを増すようにしても構わない。また、滑動運動を、ラッチギア及びピニオンギアで、回転運動に変換してもよいし、また、回転運動を滑動運動（往復運動）に変換することもできる。また、クランクを用いることによって、摺動運動や、揺動運動に変換できるため、動作部１８に合わせあらゆる動作をさせることが可能となる。また、動作部１８は、２以上でも問題なく、滑動運動と、回転運動を組み合わせ２以上動作するようにしても構わない。
【００７４】
次に上述で説明した駆動部１６の駆動を動作部１８に合わせて変換した動作部１８の例を腕・頭部回転・目玉回転・首上下・機関車の例でそれぞれ説明する。
【００７５】
図５の動作部１８の説明を行う。この実施の例では、駆動部１６の回転を揺動動作へと変換し動作部１８を揺動動作させる例である。
【００７６】
動作部１８の構成は、ケース７６、クランク７８、揺動軸８２、揺動体８４で構成されている。ケース７６は、その内部を中空に設けられた方形体で形成し、ストロー固定筒５２の回転軸７４に対応する面に接着されている。該ケース７６には、回転軸７４に対応した孔が設けられ、回転軸７４は、ケース７６内部に貫通している。また、ケース７６の１側面には、開口面が設けられている。
【００７７】
クランク７８は、駆動部１６の回転軸７４に軸着し、回転軸７４を中心に回転するクランクピン８０が形成されている。揺動体８４は、クランクピン８０と係合する長孔８６と、揺動軸８２に軸支される軸孔が形成され、棒状に形成されている。また、揺動軸８２は、ケース７６に軸着し、揺動体８４を軸支しているようになっている。図の例では、回転軸７４の右側に揺動軸８２を配設した例であり、該揺動軸８２を右側に設けることによって、揺動体８４の動作をケース７６の右側面側で動作させることができるようになっている。このように、揺動軸８２の配設位置と揺動体８４の形状によって、どの方向でも揺動動作を行わせることができるようになっている。
【００７８】
駆動部１６の回転軸７４が回転を行うと、クランクピン８０が回転軸７４を中心に回転すると、クランクピン８０に係合する揺動体８４の長孔８６が押圧される。揺動体８４の長孔８６が押圧されると、揺動軸８２を中心に、揺動体８４が揺動動作するようになっている。このように、揺動体８４である動作部１８が、揺動動作を行うことによって、例えば、形象体の腕を模した動作部１８が、揺動運動することによって手招きしているかのように動かすことができる。また、この揺動動作によって、手招きする動きや、首を振る動き、バットやラケットを振る動きなどを表現することができる。
【００７９】
図６の動作部の説明を行う。この実施の例では、駆動部の回転を摺動動作へと変換し動作部を摺動動作させる例である。
【００８０】
動作部構成は、ケース７６、クランク７８、摺動体８８で構成されている。ケース７６は、その内部を中空に設けられた方形体で形成し、ストロー固定筒５２の回転軸７４に対応する面に接着されている。該ケース７６には、回転軸７４に対応した孔が設けられ、回転軸７４は、ケース７６内部に貫通している。また、ケース７６の上方及び下方には、開口面が設けられている共に、摺動体８８の向きを固定し、上下方向のみ摺動可能にする突部形状の保持部９２が形成されている。
【００８１】
クランク７８は、駆動部１６の回転軸７４に軸着し、回転軸７４を中心に回転するクランクピン８０が形成されている。また、摺動体８８は、クランクピン８０と係合する長孔９０が設けられている。また、摺動体８８の一端には、形象体又は装飾部の一部を模した形象体が形成されている。
【００８２】
駆動部１６の回転軸７４が回転を行うと、クランクピン８０が回転軸７４を中心に回転し、クランクピン８０に係合する摺動体８８の長孔９０が押圧される。摺動体８８の長孔９０が押圧されると、保持部９２によって保持されている摺動体８８は、上下方向へと摺動動作を行うようになっている。このように、摺動体８８を摺動運動させることによって、例えば、摺動体８８に形成された形象体を形象体の頭部及び首を模して形成とすることによって、該形象体の首が伸びたようになり演出することができ、使用者を驚かせることができる。
【００８３】
図７の動作部１８の説明を行う。この実施の例では、駆動部の回転を回転板へと変換し、動作部を動作させる例である。
【００８４】
動作部は、ケース７６、車輪９４、連結棒９６で構成されている。該ケース７６は、蒸気機関車を模した形に形成され、駆動部１６の回転軸７４に、回転板である蒸気機関車の動輪を模した車輪９４が軸着している。該車輪９４には、偏心した位置に設けられた偏心ピン（クランクピン８０）が設けられている。また、該クランクピン８０には、連結棒９６が軸支されている。また、連結棒９６は、蒸気機関車の前方の車輪の軸に遊嵌されているようになっている。
【００８５】
このように駆動部１６の回転軸７４に、蒸気機関車の車輪９４（回転板に設けられたクランク７８）を設けることによって、あたかも機関車の車輪９４が回転しているかのように表現することができる。この他に、車の車輪や、船のスクリュー、飛行機のプロペラなどの回転に利用することも可能である。
【００８６】
図８及び図９の動作部１８の説明を行う。この実施の例は、駆動部の回転を、そのまま利用し、動作部を回転動作させる例である。
【００８７】
図８の例では、駆動部１６の回転軸７４にウォームギア９８を軸着し、該ウォームギア９８と係合する歯車１００によって回転角度を９０度変換し回転させることによって、例えば、該歯車が軸着した軸の先端に、形象体の頭部を模した動作部１８が回転するようすることができる。また、この回転動作によって、回転角度を変更したり、ウォームギアなどによる回転速度を落とすと共に、回転トルクを増すようにすることができる。
【００８８】
また、図９（Ａ）の例では、駆動部１６の回転軸７４に歯車１０２を設け、その歯車１０２に歯合する第一従動歯車１０４と第二従動歯車１０６が設けられ、該第一従動歯車１０４と第二従動歯車１０６側面に、該形象体の目を模した絵を表示することによって、該第一従動歯車１０４及び第二従動歯車１０６が回転すると、形象体の目が、それぞれ同一方向に回転しているように表現することができる。
【００８９】
また、図９（Ｂ）の例では、図９（Ａ）同様に駆動部１６の回転軸７４に歯車１０２を設け、その歯車に歯合する従動歯車１０８の側面に該形象体の目を模した絵を表示することによって、該歯車１０２及び従動歯車１０８が回転すると、形象体の目が、それぞれ違う方向に回転しているように表現することができる。
【００９０】
このように、駆動部からの回転を２つの歯車に回転を伝達し、２つの動作部１８を動かすことができる。このことによって、例えば、外装２０の腕にあたる両腕を振る動きにすることも可能である。
【００９１】
図１０の動作部１８の説明を行う。この実施の例は、駆動部の回転を利用し、スイッチを開閉させる例である。
【００９２】
動作部１８に、スイッチ１１０を設け、駆動部１６の回転をクランク７８利用し、軸を中心に揺動運動に変換することによって、スイッチ１１０を開閉することによって、電気的な動作を行わせることができる。これによって、モータを駆動させたり、「もっと飲んでね」などの音声出力するようにしても構わない。また、図のように、光を発光する発光部１１２を設ケース７６イッチが開閉する毎に発光部１１２が発光するようにしても構わない。
【００９３】
以上、いくつかの動作部１８の例を説明したが、これに限定されるものではなく、回転運動及び摺動運動から様々動作部１８を動作させることができ、ストロー１０をより趣向の高いものとすることができる。
【００９４】
動作部付きストローの使用方法について、説明を行う。飲料を入れたコップなどの容器に、ストロー１０を挿入、使用者が、ストロー１０の吸飲口１２から吸飲すると、駆動部１６が駆動し、該駆動部１６の駆動によって、動作部１８が動作を行うようになり、ストロー１０使用者に対して趣向の高いストロー１０とすることができる。
【００９５】
また、図１１の実施の形態について説明する。上述のストローに、飲料など収容する容器に挿着可能なキャップ２２を備え、該キャップの２２頂壁を貫通する流路を形成してキャップ２２上方に駆動部を備えたものである。このようにすることによって、既存のペットボトルなどのボトル容器のキャップ規格と同様のキャップ２２にすれば、既存飲料のペットボトルなどの容器に接続して使用することができる。
【００９６】
使用方法は、ペットボトルなどのボトル容器のネジ部に、該キャップ２２部を回して、螺合する。その後、使用者がストロー１０の吸飲口１２から吸飲すると、駆動部１６が駆動し、該駆動部１６の駆動によって、動作部１８が動作を行うようになり、使用者に対して趣向の高いストロー１０とすることができる。
【００９７】
また別の使用例として、キャップを備えた場合では、該ボトル容器内に飲料を入れずボトル容器を押圧することによって、ボトル容器内にある空気が圧縮され、ストロー１０内に空気が流れるようになる。この空気の流れを利用して、駆動部１６を駆動させることも可能であり、使用者の二次的な遊びとして使用することも可能である。
【００９８】
この以上説明したように構成することにより、飲料などを吸飲する際に発生する水流によって駆動部１６を駆動させ、該駆動部１６の駆動によって動作部１８させ、ストロー使用者に対して趣向の高いストローを提供することができる。また、好ましい実施例を挙げて本発明を説明したが、本発明はその実施例に限定されるものではなく、実用新案請求の範囲に記載した技術的範囲内で種々に改変できる
【００９９】
たとえば図示しないが、上述のストロー１０をペットボトルなどのボトルと接続することもできる。その構成は、上述の駆動部１６と動作部１８を組み合わせたストロー１０で、該駆動部１６の下から該容器の壁面にストロー１０を挿嵌して形成することによって、例えば、容器の外装２０と、ストロー１０の外装２０を合わせることができ、使用者に対して趣向の高いストロー１０とすることができる。使用例として、容器に飲料を入れた後、使用者がストロー１０の吸飲口１２から吸飲すると、駆動部１６が駆動し、該駆動部１６の駆動によって、動作部１８が動作を行うようになる。
【図面の簡単な説明】
【０１００】
【図１】本考案の一実施例である動作部付きストローの一例である駆動部に作動弁を使用した場合の使用例を示す図である。
【図２】本考案の一実施例である動作部付きストローの一例である駆動部に作動弁を使用した場合の説明図である。
【図３】本考案の一実施例である動作部付きストローの一例である駆動部に滑動弁を使用した場合の説明図である。
【図４】本考案の一実施例である動作部付きストローの一例である駆動部に水車を使用した場合の説明図である。
【図５】本考案の一実施例である動作部付きストローの一例である駆動部に水車を使用した場合の動作部（揺動）の例を示す図である。
【図６】本考案の一実施例である動作部付きストローの一例である駆動部に水車を使用した場合の動作部（摺動）の例を示す図である。
【図７】本考案の一実施例である動作部付きストローの一例である駆動部に水車を使用した場合の動作部（回転板）の例を示す図である。
【図８】本考案の一実施例である動作部付きストローの一例である駆動部に水車を使用した場合の動作部（歯車）の例を示す図である。
【図９】本考案の一実施例である動作部付きストローの一例である駆動部に水車を使用した場合の動作部（歯車）の例を示す図である。
【図１０】本考案の一実施例である動作部付きストローの一例である駆動部に水車を使用した場合の動作部（スイッチ）の例を示す図である。
【図１１】本考案の一実施例である動作部付きストローにキャップを設けた例を示す図である。
【符号の説明】
【０１０１】
１０  ストロー
１２  吸飲口
１４  吸水口
１６  駆動部
１８  動作部
２０  外装
２２  キャップ
３０  上方ストロー
３２  下方ストロー
３４  ゴムパッキン
３６  作動弁
３８  支持ピン
４０  支持筒体
４２  孔
４４  孔
４６  支持カバー
４８  孔
５０  凸部
５２  ストロー固定筒
５４  細溝
５６  シリコン膜
５８  スリット
６０  スライド板
６２  保持板
６４  滑動弁
６６  支持体
６８  細溝
７０  水車
７２  フィン
７４  回転軸
７６  ケース
７８  クランク
８０  クランクピン
８２  揺動軸
８４  揺動体
８６  長孔
８８  摺動体
９０  長孔
９２  保持部
９４  車輪
９６  連結棒
９８  ウォームギア
１００  歯車
１０２  歯車
１０４  第一従動歯車
１０６  第二従動歯車
１０８  従動歯車
１１０  スイッチ
１１２  発光部
【図１】
0003107607.tif 000003
【図２】
0003107607.tif 000004
【図３】
0003107607.tif 000005
【図４】
0003107607.tif 000006
【図５】
0003107607.tif 000007
【図６】
0003107607.tif 000008
【図７】
0003107607.tif 000009
【図８】
0003107607.tif 000010
【図９】
0003107607.tif 000011
【図１０】
0003107607.tif 000012
【図１１】
0003107607.tif 000013